【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
陽極、陰極、並びに陽極および陰極に電気的に連結されている電力源から構成される経皮性電気輸送薬剤デリバリーまたは身体分析試料採取装置であって、陽極および陰極の少なくとも１つが電極とハウジングから構成されるレザバーとを含み、このハウジングが重合体状材料およびハウジングに接触している水性媒体から構成され、この水性媒体が
（ｉ）薬剤もしくは電解質塩またはそれらの混合物、
（ｉｉ）プロピレングリコール、および
（ｉｉｉ）水性媒体中での微生物成長を抑制するのに充分な量の抗微生物剤
から構成され、プロピレングリコールが抗微生物剤を装置に適合性にさせる量で存在する、装置。
【請求項２】
陽極および陰極の少なくとも１つが電極とハウジングから構成されるレザバーとを含み、このハウジングが重合体状材料およびハウジングに接触している水性媒体から構成され、この水性媒体が
（ｉ）薬剤もしくは電解質塩、
（ｉｉ）プロピレングリコール、および
（ｉｉｉ）水性媒体中での微生物成長を抑制するのに充分な量の抗微生物剤
から構成され、該プロピレンが抗微生物剤を装置に適合性にさせる、陽極、陰極、並びに陽極および陰極に電気的に連結されている電力源から構成される電気輸送装置からの電気輸送により薬剤を患者に経皮性デリバリーするかまたは患者からの身体分析試料を採取する方法であって、この方法が電力源からの電流を供給してレザバーの１つからまたはそれへの電気輸送により薬剤を経皮性デリバリーするかまたは患者からの身体分析試料を採取する方法。
【請求項３】
経皮性電気輸送デリバリーまたは試料採取装置レザバー中での使用のための水性媒体であって、該レザバーが重合体状レザバーハウジング内に含有されており、該水性媒体が
（ｉ）薬剤もしくは電解質塩またはそれらの混合物、
（ｉｉ）プロピレングリコール、および
（ｉｉｉ）水性媒体中での微生物成長を抑制するのに充分な量の抗微生物剤
から構成され、プロピレングリコールが抗微生物剤を装置に適合性にさせる量で存在する水性媒体。
【手続補正２】
【補正対象書類名】明細書
【補正対象項目名】００６４
【補正方法】変更
【補正の内容】
【００６４】
本発明をある種の好ましい態様を参照しながら記述してきたが、特許請求の範囲により規定されている本発明の範囲から逸脱せずにその改変を当業者により行ないうることは明らかである。
本発明の好ましい態様を整理して記載すれば、下記のとおりである。
１．陽極、陰極、並びに陽極および陰極に電気的に連結されている電力源から構成される経皮性電気輸送薬剤デリバリーまたは身体分析試料採取装置であって、陽極および陰極の少なくとも１つが電極とハウジングから構成されるレザバーとを含み、このハウジングが重合体状材料およびハウジングに接触している水性媒体から構成され、この水性媒体が
（ｉ）薬剤もしくは電解質塩またはそれらの混合物、
（ｉｉ）プロピレングリコール、および
（ｉｉｉ）水性媒体中での微生物成長を抑制するのに充分な量の抗微生物剤
から構成され、プロピレングリコールが抗微生物剤を装置に適合性にさせる量で存在する、装置。
２．水性媒体が約４．０〜約９．０の範囲内のｐＨを有する、上記１の装置。
３．水性媒体が約５．０〜約８．０の範囲内のｐＨを有する、上記１の装置。
４．水性媒体が緩衝液を含む、上記１の装置。
５．重合体状ハウジング材料がポリエチレンテレフタレート、シクロヘキサンジメチロールで改質されたポリエチレンテレフタレート、ポリプロピレン、ポリエチレン、ポリエチレン共重合体、およびそれらの混合物よりなる群から選択される、上記１の装置。
６．陰極レザバーが電解質塩の水性媒体を含有しそして実質的に薬剤を含まない、上記１の装置。
７．陽極が陽極電解質および陽極レザバーを含み、該陽極レザバーが薬剤を含有する、上記６の装置。
８．該陽極レザバー中の薬剤が電流が電力源から流れる時にデリバリーされうる形態のフェンタニールである、上記７の装置。
９．抗微生物剤がメチルパラベン、エチルパラベンおよびプロピルパラベン、没食子酸プロピル、ブチル化ヒドロキシアニソール（ＢＨＡ）、ブチル化ヒドロキシトルエン、ｔ−ブチル−ヒドロキノン、クロロキシレノール、クロロヘキシジン、ジクロロベンジルアルコール、デヒドロ酢酸、ヘキセチジンおよびトリクロサンよりなる群から選択される、上記１の装置。
１０．抗微生物剤がパラベンである、上記９の装置。
１１．水性媒体が少なくとも約０．００５重量％の抗微生物剤を含有する、上記１の装置。
１２．水性媒体が約０．００５重量％〜約２重量％の抗微生物剤を含有する、上記１の装置。
１３．水性媒体が約０．０１重量％〜約１重量％の抗微生物剤を含有する、上記１の装置。
１４．プロピレングリコールが約５重量％〜約５０重量％の範囲内で存在する、上記１の装置。
１５．プロピレングリコールが約５重量％〜約３０重量％の範囲内で存在する、上記１の装置。
１６．陽極および陰極の少なくとも１つが電極とハウジングから構成されるレザバーとを含み、このハウジングが重合体状材料およびハウジングに接触している水性媒体から構成され、この水性媒体が
（ｉ）薬剤もしくは電解質塩、
（ｉｉ）プロピレングリコール、および
（ｉｉｉ）水性媒体中での微生物成長を抑制するのに充分な量の抗微生物剤
から構成され、該プロピレンが抗微生物剤を装置に適合性にさせる、陽極、陰極、並びに陽極および陰極に電気的に連結されている電力源から構成される電気輸送装置からの電気輸送により薬剤を患者に経皮性デリバリーするかまたは患者からの身体分析試料を採取する方法であって、この方法が電力源からの電流を供給してレザバーの１つからまたはそれへの電気輸送により薬剤を経皮性デリバリーするかまたは患者からの身体分析試料を採取する方法。
１７．水性媒体が約４．０〜約９．０の範囲内のｐＨを有する、上記１６の方法。
１８．水性媒体が約５．０〜約８．０の範囲内のｐＨを有する、上記１６の方法。
１９．水性媒体が緩衝液を含む、上記１６の方法。
２０．重合体状ハウジング材料がポリエチレンテレフタレート、シクロヘキサンジメチロールで改質されたポリエチレンテレフタレート、ポリプロピレン、ポリエチレン、ポリエチレン共重合体、およびそれらの混合物よりなる群から選択される、上記１６の方法。
２１．陰極レザバーが電解質塩の水性媒体を含有しそして実質的に薬剤を含まない、上記１６の方法。
２２．陽極が陽極電解質および陽極レザバーを含み、該陽極レザバーが薬剤を含有する、上記１６の方法。
２３．該陽極レザバー中の薬剤が電流が電力源から流れる時にデリバリーされうる形態のフェンタニールである、上記２２の方法。
２４．抗微生物剤がメチルパラベン、エチルパラベンおよびプロピルパラベン、没食子酸プロピル、ブチル化ヒドロキシアニソール（ＢＨＡ）、ブチル化ヒドロキシトルエン、ｔ−ブチル−ヒドロキノン、クロロキシレノール、クロロヘキシジン、ジクロロベンジルアルコール、デヒドロ酢酸、ヘキセチジンおよびトリクロサンよりなる群から選択される、上記１６の方法。
２５．抗微生物剤がパラベンである、上記２４の方法。
２６．水性媒体が少なくとも約０．００５重量％の抗微生物剤を含有する、上記１６の方法。
２７．水性媒体が約０．００５重量％〜約２重量％の抗微生物剤を含有する、上記１６の方法。
２８．水性媒体が約０．０１重量％〜約１重量％の抗微生物剤を含有する、上記１６の方法。
２９．プロピレングリコールが約５重量％〜約５０重量％の範囲内で存在する、上記１６の方法。
３０．プロピレングリコールが約５重量％〜約３０重量％の範囲内で存在する、上記１６の方法。
３１．経皮性電気輸送デリバリーまたは試料採取装置レザバー中での使用のための水性媒体であって、該レザバーが重合体状レザバーハウジング内に含有されており、該水性媒体が
（ｉ）薬剤もしくは電解質塩またはそれらの混合物、
（ｉｉ）プロピレングリコール、および
（ｉｉｉ）水性媒体中での微生物成長を抑制するのに充分な量の抗微生物剤
から構成され、プロピレングリコールが抗微生物剤を装置に適合性にさせる量で存在する水性媒体。
３２．水性媒体が約４．０〜約９．０の範囲内のｐＨを有する、上記３１の水性媒体。
３３．水性媒体が約５．０〜約８．０の範囲内のｐＨを有する、上記３１の水性媒体。
３４．水性媒体が緩衝液を含む、上記３１の水性媒体。
３５．重合体状ハウジング材料がポリエチレンテレフタレート、シクロヘキサンジメチロールで改質されたポリエチレンテレフタレート、ポリプロピレン、ポリエチレン、ポリエチレン共重合体、およびそれらの混合物よりなる群から選択される、上記３１の水性媒体。
３６．陰極レザバーが電解質塩の水性媒体を含有しそして実質的に薬剤を含まない、上記３１の水性媒体。
３７．陽極が陽極電解質および陽極レザバーを含み、該陽極レザバーが薬剤を含有する、上記３１の水性媒体。
３８．該陽極レザバー中の薬剤が電流が電力源から流れる時にデリバリーされうる形態のフェンタニールである、上記３７の水性媒体。
３９．抗微生物剤がメチルパラベン、エチルパラベンおよびプロピルパラベン、没食子酸プロピル、ブチル化ヒドロキシアニソール（ＢＨＡ）、ブチル化ヒドロキシトルエン、ｔ−ブチル−ヒドロキノン、クロロキシレノール、クロロヘキシジン、ジクロロベンジルアルコール、デヒドロ酢酸、ヘキセチジンおよびトリクロサンよりなる群から選択される、上記３１の水性媒体。
４０．抗微生物剤がパラベンである、上記３９の水性媒体。
４１．水性媒体が少なくとも約０．００５重量％の抗微生物剤を含有する、上記３１の水性媒体。
４２．水性媒体が約０．００５重量％〜約２重量％の抗微生物剤を含有する、上記３１の水性媒体。
４３．水性媒体が約０．０１重量％〜約１重量％の抗微生物剤を含有する、上記３１の水性媒体。
４４．プロピレングリコールが約５重量％〜約５０重量％の範囲内で存在する、上記３１の水性媒体。
４５．プロピレングリコールが約５重量％〜約３０重量％の範囲内で存在する、上記３１の水性媒体。